(57)【特許請求の範囲】
【請求項１】
斜面に斜面安定のための、土、肥料、及び植物種子を混合した緑化基盤材からなる吹付材を吹き付ける斜面安定法において、上記の吹付材に酢酸カルシウムや酢酸マグネシウムの単独又は適当な比率で混合した凍結防止剤をコーティングにより水溶性の被膜を被覆することで凍結防止作用の遅延手段が付与された遅延手段付凍結防止剤を混入したことを特徴とする斜面安定法。
【請求項２】
斜面に斜面安定のための、土、肥料、及び植物種子を混合した緑化基盤材からなる吹付材を吹き付ける斜面安定法において、上記吹付材の吹き付け前の上記斜面に酢酸カルシウムや酢酸マグネシウムの単独又は適当な比率で混合した凍結防止剤をコーティングにより水溶性の被膜を被覆することで凍結防止作用の遅延手段が付与された遅延手段付凍結防止剤を配布したのち、この遅延手段付凍結防止剤を埋没するように吹付材を吹き付けたことを特徴とする斜面安定法。
【請求項３】
斜面に通水性を有するネットや布からなる張付材を適宜の張り付け手段を介し張り付け、この張付材に前記遅延手段付凍結防止剤を保持させてあることを特徴とする請求項２に記載の斜面安定法。
【請求項４】
水溶性のシートの製造過程に前記遅延手段付凍結防止剤を練り込み或は混入し、このシートを斜面に適宜の張り付け手段を介し張り付けたことを特徴とする請求項２に記載の斜面安定法。
【発明の詳細な説明】
【技術分野】
【０００１】
この発明は、オープンカット工法などにより造成された高速道路の法面、ダムの湛水斜面、各種施設などに面する法面或いは崩壊のおそれのある急傾斜地などの斜面安定をはかる斜面安定法に関する。
【背景技術】
【０００２】
上述のような斜面をそのままにしておくと、表土が雨水や地中からしみでる流下水によって流され、或いは崩壊するおそれがあるので、斜面を安定させる工法が必要になる。
【０００３】
従来の斜面安定工法としては、周知（特許文献１）のように施工面（斜面）に吹付材を吹き付けている。
【０００４】
上記の吹付材としては、斜面を安定させるための例えばモルタルやセメントミルク以外に斜面安定と緑化のための緑化基盤材（客土に種子やマンネングサなどの緑化材が混入してあり、しかも保水材や肥料などの混入したもの）がある。
【０００５】
【特許文献１】特許第３０６６３３１号公報
【発明の開示】
【発明が解決しようとする課題】
【０００６】
上記のような吹付材の吹き付けによる斜面安定工において、積雪や寒冷地での凍結にともない吹付材が膨張し、昼間の昇温にともない収縮する。
【０００７】
すると、膨張と収縮との繰り返しによって吹付材の結合力（粘着力）が大幅に低下してひび割れやバサバサになるので、施行面（斜面）に対し遊離（浮上）して定着性が損なわれ、斜面安定や緑化に問題が発生する。
【０００８】
特に吹付材のバサバサになるのにともない流下水により吹付材が流され、吹付材に混入してある肥料などの流失にともない成育に不都合が発生する。
【０００９】
そこで、凍結防止のために、吹付材に凍結防止剤を散布して上述の問題を解消している。勿論、上述の散布は、凍結その都度行なわれる。
【００１０】
しかしながら、吹付材の表面に散布した凍結剤に持続性がないため、降雨や凍結その都度凍結剤を散布し、しかも散布面積が拡大なため大幅な出費になると共に、均一な散布ができないため、上記の問題が部分的に発生する。
【００１１】
上記の現象は、斜面をそのまま放置しておくと斜面にも発生する。
なお、凍結にともない吹付材や斜面に霜柱が発生すると、上述の問題が起こる。
そこで、この発明は、上述の問題を解消することにある。
【課題を解決するための手段】
【００１２】
上記の課題を解決するために、この発明は、斜面に斜面安定のための、土、肥料、及び植物種子を混合した緑化基盤材からなる吹付材を吹き付ける斜面安定法において、上記の吹付材に酢酸カルシウムや酢酸マグネシウムの単独又は適当な比率で混合した凍結防止剤をコーティングにより水溶性の被膜を被覆することで凍結防止作用の遅延手段が付与された遅延手段付凍結防止剤を混入した斜面安定法を採用する。
【００１３】
また、斜面に斜面安定のための、土、肥料、及び植物種子を混合した緑化基盤材からなる吹付材を吹き付ける斜面安定法において、上記吹付材の吹き付け前の上記斜面に酢酸カルシウムや酢酸マグネシウムの単独又は適当な比率で混合した凍結防止剤をコーティングにより水溶性の被膜を被覆することで凍結防止作用の遅延手段が付与された遅延手段付凍結防止剤を配布したのち、この遅延手段付凍結防止剤を埋没するように吹付材を吹き付けた斜面安定法を採用する。
【００１４】
さらに、斜面に通水性を有するネットや布からなる張付材を適宜の張り付け手段を介し張り付け、この張付材に前記遅延手段付凍結防止剤を保持させた斜面安定法を採用する。
【００１５】
また、水溶性のシートの製造過程に前記遅延手段付凍結防止剤を練り込み或は混入し、このシートを斜面に適宜の張り付け手段を介し張り付けた斜面安定法を採用することもある。
【発明の効果】
【００１６】
以上のように、この発明の斜面安定吹付材の定着法によれば、斜面に吹き付ける吹付材に酢酸カルシウムや酢酸マグネシウムの単独又は適当な比率で混合した凍結防止剤をコーティングにより水溶性の被膜を被覆することで凍結防止作用の遅延手段が付与された遅延手段付凍結防止剤を混入し、また、吹付材の吹き付け前の斜面に上記遅延手段付凍結防止剤を配布して、吹き付ける吹付材に凍結防止剤を埋没するので、凍結防止作用の遅延手段により、徐々に効果を発揮する持続性があり、降雪や凍結その都度吹付材の表面に凍結防止剤を散布することがない。
【００１７】
また、袋体に凍結防止剤を充填しておくと、散布による飛散によって周囲に塩害などによる悪影響を及ぼしたり環境を損うことがないと共に、降雪や凍結その都度手数がかかり、かつ大きな出費となる問題を生じることがない。
【００１８】
さらに、生育緑化材の育成を大きく妨げることもないと共に、吹付材の粘性が大幅に低下することがなくなって、斜面に対する吹付材の定着が安定する。
【００１９】
また、凍結にともない発生した斜面におよぼす悪影響を防止して、斜面の安定をはかることもできる。
【発明を実施するための最良の形態】
【００２０】
この発明の実施形態を添付図面に基づいて説明する。
【００２１】
この発明の第１の実施形態では、図１から図２に示すように、例えばオープンカット工法などにより造成された高速道路の法面、ダムの湛水斜面、各種施設などに面する法面或いは崩壊のおそれのある急傾斜地などの斜面Ａには、斜面安定のための所望の吹付材Ｂを吹き付ける。
【００２２】
上記吹付材Ｂとしては、例えば緑化基盤材としての黒土などの客土に例えば植物種子と、腐葉土などの土及び肥料、保水剤、土壌改良剤など緑化植物の生育に必要なものを混合したもので、例えば周知のように混合機（装置）によって混合され、混合機からホースに圧送（空気輸送により）しながら、ホースの端末のノズルから斜面Ａに所定の厚みに吹き付ける。
【００２３】
上記の緑化種子としては、牧草、野草、花などの草本植物の種子のみでよいが、樹木などの木本植物の種子を混合或いは単独であってもよい。
【００２４】
また、上記の吹付材Ｂには、吹き付け以前に凍結防止作用の遅延手段を付与した遅延手段付凍結防止剤Ｃが混入してある。
【００２５】
上記遅延手段付凍結防止剤Ｃとしては、周囲の環境（塩害などによる）に対する影響を考慮して、酢酸カルシウムや酢酸マグネシウムの単独或いは適当な比率で混合した凍結防止剤１をコーティングにより水溶性の被膜５１により被覆する。
【００２６】
上記水溶性のコーティング（単層又は複層）による被膜５１の材質としては、エチレン酢ビエステル、タルク、ポリエチレン、石膏、モンモリロナイト、ベントナイト、酢酸ビニル、（コロイド性含水）けい酸アルミニウム、大豆油アルキド、マイレン酸変性ロジン、アクリル樹脂、生分解性樹脂などで、適宜選択して使用する。
【００２７】
勿論、材質も上記に限定されず、目的を達成するその他の水溶性、通水性などの効果が期待できるものであってもよい。
【００２８】
この遅延手段付凍結防止剤Ｃを吹付材Ｂの混合機に供給し、或いはホースのノズルの手前に供給して吹付材Ｂと共に遅延手段付凍結防止剤Ｃを斜面Ａに吹き付ける。
【００２９】
すると、降雨、降雪、土壌がもっている水分によってまず水溶性の被膜５１が溶け、そして凍結防止剤１に水分が湿潤し、湿潤による凍結防止剤１の作用によって凍結防止や融雪、融氷の役目をする。
【００３０】
上記の作用が冬期の間毎日吹付材Ｂ内で繰り返されるので、吹付材Ｂに対する凍結防止剤の散布を凍結その都度行なうことがなく、散布にともなう飛散によって周囲の塩害や環境を損うことがない。
【００３１】
なお、カプセル２によって凍結防止作用の遅延手段を付与したが、遅延性もコーティングする被膜５１の肉厚や水溶性の材質などで変更することができる。
【００３２】
要するに、吹付材Ｂ内に埋没させて使用した際の凍結後の溶解にともなう凍結防止剤１への水分吸収による作用効果の解凍を瞬時でなく徐々に効果のある持続性を付与することにある。
【００３３】
この発明の第２の実施形態では、図３に示すように、第１の実施形態と同様の斜面Ａに凍結防止作用の遅延手段を付与した遅延手段付凍結防止剤Ｃを配布したのち、この凍結防止剤Ｃが埋没するように斜面Ａに吹付材Ｂを吹き付ける。
【００３４】
上記の吹付材Ｂ及び吹付材Ｂの吹き付けは、第１の実施形態と同様につき説明を省略する。
【００３５】
上記の遅延手段付凍結防止剤Ｃとしては、凍結防止剤１を第１の実施形態と同様にコーティングにより被膜５１を被覆したものを斜面Ａに配布する。
【００３６】
そして、図３に示すように、遅延手段付凍結防止剤Ｃに貫通するように斜面Ａにアンカーピン１４を打ち込んで、斜面Ａに対し遅延手段付凍結防止剤Ｃを止めておくとよい。
【００３７】
上記の凍結防止剤１は、第１の実施形態と同様につき説明を省略する。
【００３８】
すると、降雪や寒冷地での凍結にともない昼間の昇温による溶解した水分が吹付材Ｂに浸透し、浸透水分によって被膜５１が溶け、そして凍結防止剤１に水分が湿潤し、湿潤による凍結防止剤１の作用によって凍結防止、融雪、融氷の役目をする。
【００３９】
上記の作用が冬期間毎日吹付材Ｂ内で繰り返されるので、吹付材Ｂに対する凍結防止剤の散布を凍結その都度行なうことがなく、散布にともなう飛散によって周囲の塩害や環境を損うことがない。
【００４０】
要するに、吹付材Ｂ内に埋没させて使用した際、吹付材Ｂ及び斜面を凍結させることなく凍結防止剤１への水分吸収による凍結防止効果の解凍を瞬時でなく徐々に効果のある持続性を付与することにある。
【００４１】
この発明の第３の実施形態では、図４から図６に示すように、斜面Ａに通水性を有する張付材２１を張り付け手段を介し張り付け、この張付材２１には、凍結防止作用の遅延手段を付与した遅延手段付凍結防止剤Ｃが保持させてある。
【００４２】
上記遅延手段付凍結防止剤Ｃは、第１の実施形態と同様につき説明を省略する。
【００４３】
上記の通水性を有する張付材２１及び張付材２１による遅延手段付凍結防止剤Ｃの保持手段としては、図４に示すようにネットや布（不織布など）を用い、その裏面に接着剤（水溶性などの）を介し遅延手段付凍結防止剤Ｃを付着させておくか、図５に示すように斜面Ａに遅延手段付凍結防止剤Ｃを散布したのち、その上に張り付ける張付材２１によって遅延手段付凍結防止剤Ｃを押え込むか、図６に示すように、張付材２１としてネットや布によって袋体を形成し、この袋体の張付材に遅延手段付凍結防止剤Ｃを充填することも考えられ、またこの袋体に緑化基盤材や種、肥料なども同時に充填してそれ自体で緑化することも考えられる。
【００４４】
そして、張付材２１の張り付け手段としては、例えばアンカーピン１４を打ち込んで行なう。
【００４５】
すると、第１、第２の実施形態と同様の作用効果がある。
作用効果は、第１、第２の実施形態と同様につき説明を省略する。
【００４６】
この発明の第４の実施形態では、図７に示すように、斜面Ａに張り付け手段としてのアンカーピン１４を打ち込んで水溶性シート３１を張り付ける。
【００４７】
このシート３１には、第１及び第２の実施形態と同様の遅延手段付凍結防止剤Ｃが、シート３１の製造過程において練り込んだり或いは混入しておく。
【００４８】
当然シート３１に緑化基盤材や種、肥料なども同時に混入し、それ自体で緑化することも考えられる。
【００４９】
すると、斜面Ａ側や凍結後の溶融水分がシート３１に付着、吸水されてシート３１が溶け、そして遅延手段付凍結防止剤Ｃに水分が湿潤、浸透すると、遅延手段付凍結剤止剤Ｃが作用する。
【００５０】
なお、シート３１自体を浮き上がらせることなく斜面Ａに密着させてすきまを作ることがないようにしておくとよい。
【００５１】
上記の遅延手段付凍結防止剤Ｃ及び作用効果は、第１、第２の実施形態と同様につき説明を省略する。
【図面の簡単な説明】
【００５２】
【図１】この発明の第１の実施形態を示す縦断側面図
【図２】凍結防止作用の遅延手段を示す一部切欠正面図
【図３】第２の実施形態を示す縦断側面図
【図４】第３の実施形態を示す縦断側面図
【図５】斜面に対する凍結防止剤の保持を示す側面図
【図６】同側面図
【図７】第４の実施形態を示す縦断側面図
【符号の説明】
【００５３】
Ａ  斜面
Ｂ  吹付材
Ｃ  遅延手段付凍結防止剤
１  凍結防止剤
２１  張付材
３１  シート
５１  被膜
【図１】
0004426905.tif 000002
【図２】
0004426905.tif 000003
【図３】
0004426905.tif 000004
【図４】
0004426905.tif 000005
【図５】
0004426905.tif 000006
【図６】
0004426905.tif 000007
【図７】
0004426905.tif 000008